(57)【要約】      （修正有）【課題】空間等の温度調整等に係るエネルギー等のコスト等を改善する。【解決手段】ペットボトル状の資材を連結してスペースを設けて、食物等を栽培する。【選択図】図１
2020182434.tif 000002
【特許請求の範囲】
【請求項１】
ペットボトル状の資材等を連結等して人間等が通れるスペースを設けてそこを通って移動するとき等に内部温度調整をできるようにする。ペットボトル等の物質等を連結してその内部に地下５メートル程度等（あくまで目安）の年間を通じて温度変化が少ない液体等（水等）を用意してそれを内部に電動ポンプ等でくみ上げるなどして流して外気温が高いとき低いときの内部の空調等にいかす。地下水温も深度等によって年間で変動する深度があるがそれも空調等に最大限利用する。自然の外気温が５度程度だとして十分にこのような構造体によってシールドされていれば内部の空気温は流す水等が１５℃であれば時間とともにそれに近似していくので約２２℃にしたいときはあと約７℃分のエネルギーで空気温を維持でき５℃から上げるより効率性がいい。下げるときも同様のことがいえる。温泉等の熱水があればより空調等の温度を上げる際等にさらに効率的になる。ペットボトル状の物体等は用途を満たせば専用の資材等を使用することもできる。設置場所は地上地下半地下等用途によって選択できる。地下タンク等は温度などにより複数設置することもできる。ペットボトル等は水を流すために連結されている。そのためにはセロテープ上のもの等で固定して中をくりぬいたりしてある。液体等で外気との間に温度保持等のためのバリアーを構築することが構造上の目的等になってくる。このようなペットボトル等を利用して作った構造体によって温度調節されたスペースの内部にさらに液体を入れてそこに魚を飼育するとき等は魚の泳ぐスピードが速いときにはできるだけ流線形にして大きな円を描くよう等する。魚等の大きさに合わせて進行方向に対する幅を５０センチなどに設定すれば正面からぶつからないので安全である。またこういう構造体に高低差を設けて低い位置から電動ポンプ等で高い地点に液体等を移動させ魚等と接している液体等が入っているスペース内部に一定方向に水流を発生させることで衝突することを防止する。必要な一時には水流は停止させようにしておくこともできる。ペットボトル等の物質を使い構築したスペースに地下熱等を利用等した水等の液体等を流し循環させてその構造物の内部に育てる植物等の大きさによって無駄のないスペースを設けて植物等を設置して生育させて植物の世話等をする作業場まで外界と空気循環が限定コントロールされた状態でレールや車輪等を用いて移動させていくことにより花粉の交雑などを防ぎ種苗法等に対応する。外界と遮断されたスペースをペットボトル等を用いて構築してそれと植物等を育てているスペースとをハッチ付きで連結等させてそこに人などが入り空間をクリーンに出来ていることを確認したのち連結ハッチを開けてそこから内部のスペースにある植物等を人間が直接世話をしたりもしくは遠隔カメラ等を用いてマジックハンド等を用いて機械的に世話をする。作業場にレール等を利用して運ばれてきた植物等を遠隔でカメラ等で確認したり、また植物等の間引き等の作業等を設置してある機械によってＡＩ学習を通して自動的にできるようにする。ペットボトル等の物質等で構築したスペースに液体等を循環等させて地下タンクにある液体の温度をスペースの加温冷却に利用等する際スペース内部をさらに冷却加温する場合に循環する液体等を人工的に加温（石油ボイラー等の設備を使う）冷却（冷蔵庫等の設備液体窒素など）も当然できるが太陽光の熱を利用して温め太陽光蓄熱温水装置としてもペットボトル等で構築した物体を利用でき光熱費の節約にもなる。ペットボトル等で構築した物体の周りに太陽光等を集光したりして周りを機密性のある材質のアルミ等で保護し断熱材等を入れたりすれば保温効率等を上げることができる。ペットボトル等の材料を使用して構築した構造物に内部に適度にスペースを設けてそこに植物等を入れて生育させたりできるのであるがペットボトル等は内部には水等の液体を循環させその水は地下タンクからつないだパイプによって運ばれてきた場合は地下の温度をスペースの内部に伝えることになる。ペットボトル等で水等の温度媒介物質とスペースの間を遮断してシールドしている。ペットボトル等の中に地下の温度を利用した液体等を流さない場合にはその中に保温性のある物質や断熱性のある物質で覆うことによってスペースの内部をエアコンやボイラー設備などで人為的に温度調整した場合のエネルギーコストを抑えることができる。ペットボトル等で構築された物体の内部にスペースを設けるていたりする際スペースが何段かになっているときに下のスペースが上のスペースの内部に入れてある物体によって太陽光等が十分に届かない場合等にいったん適度な位置に集光した太陽光等を光ファイバーで必要箇所に伝達する方法や、鏡などを利用してペットボトル等で作った構築物の側面であるとか別の場所でもいいが、光が当たりやすいところに反射装置等（鏡など）を設置して光を屈折させたりしながら光の当たりやすいところからあたりにくいところまで導く。
ペットボトル状のプラスティック状等の物体は透明にもできるので光を通して遮断はされているが開放的な空間を作ることができ内部に魚等を飼育等すればアートとしても使用できる。同様の構造等によってスペースの大きさを変えて大きくすれば内部にお湯等を入れたり他のレジャー施設等を作り自然と一体化したスペース等を構築できる。雨や風等を気にせずゆったりした温泉等を構築できる。スペースの内部の温度や流す水などの液体の温度はセンサー等で管理して自動的に電動ポンプ等の流量を変える等してエネルギーコストがちょうどいい状態にする。山間部に設置等した場合に近くにある木材等を利用してスペースの周りにある水等を加温したり内部を加温するときなどに木材等の燃焼熱等、排出ガス等を有効活用できる。
ペットボトル等の物質を用いて構築した構造体の中で植物などを育てたりする。構築物の内部のスペースは人が入れなくてもいいのでそこにパレットに乗せた植物を車輪やレール等を用いて引っ張ったりモーターの動力で列車のように連結して運び込む。取り出すときも同様。構築物の外部にパイプによって地下５メートル程度（あくまで温度により深さを変え、深さの違うタンク同士の水等を混合することもできる。暖房器具を用いて水自体を加温することもできる）のタンクとを結びタンクからモーターポンプ等で引っ張て来た水等をこの構造体等の外部にかける。構造体の外部の構造に段差等ができるように構築すれば構造体の一番高いポイントに液体の水、クーラント液等を流せば一気に下に落ちるのではなく周りに温度の違う液体等が維持できる。こうして構造体を冷やしたり加温したりできる。構造体の適当なところに導水等のための配管を設けそこからまた地下のタンクへと水等を還流させることもできる。ペットボトル等で構築した場合はペットボトル等を連結する際にペットボトル側面等に穴などをあけることによって縦や横に連結されたペットボトル等の内部の水等を好きなように移動させることができる。ペットボトル等で構築した構造体はペットボトル等の内部に水を入れてそれをタンク等の間等でモーターポンプ等の動力等で循環させたりもできるがそれをせず中に保温等のために適した不凍液（透明のほうが通常の用途ではよい、場合によっては色付のものでもよい）、や水、ガラス、ビー玉、プラスティック樹脂等光を通したりするもの（場合によっては色がついていたほうがいい、日光の加減を調整したりするため。外部に遮光の覆いをかけたりもできる）を入れっぱなしにして上記のように地下タンクの水や温泉の湯などを構造体の外部に流しては回収して還流させたりすることで構造体の内部の温度調節等をする。こうすることで構造体の設置コストや強度などをよくすることができる場合等がある。ペットボトル等の構造体は何もペットボトルに限定されたものではなく専用の資材を使うことも当然できる。ペットボトル等で構築された内部スペースと外部の外気を隔てることにことなどが用途になる。ペットボトル等を用いた構築物によって内部に多目的のスペース等を作る際など上部から注がれた液体等が重力によって移動等するときなどペットボトル等の構築物の間に隙間を設けたりペットボトル等で構築された構造体の端の部分等に一定のヘリのような段差を設けて液体等の移動をコントロールし液体の温度が内部等に構築したスペースに伝わる効率を高める。高地に地下等に設置した複数もしくは単数のタンクにより天然の湧き水、温泉湯、川の水などを入れてそれを重力等によって少し低地にあるペットボトル構造体等までパイプ等で引っ張ていけばポンプ等にかかる電気代等をほぼなくしエコ（理論上自然エネルギーのみも可能）になる。
ペットボトル等で構築したスペースに液体等を入れ魚を泳がせるなどする際構築物の魚が泳ぐスペース部分を流線形等にして魚が障害物に衝突等するリスクを下げる。全体的に大きなループ状にしてポンプ、ファン等を用いて水圧等を作りスペース内部等に水流等を発生させることもできる。大きな円を構築して緩やかにカーブさせた構造体でスペースを作れば魚等が壁等に接触したりすることを防止できる。魚が泳ぐ際スペースの幅は５０センチほど（あくまで目安、魚等の大きさにもよる）にしておけば魚等が側面に衝突することを防止等出来る。
【発明の詳細な説明】
【技術分野】
【０００１】地球環境
【背景技術】
【０００２】陸上養殖
【先行技術文献】
【特許文献】
【０００３】
【特許文献１】特許第６０９２４５４
【特許文献２】特開２０１６９‐２１８７９
【非特許文献】
【０００４】
【非特許文献１】特開２０１８−９３８５２
【非特許文献２】特開６４４２４３９  東京大学  地温データ、公益社団法人日本地下水学会、京都大学  大阪ガス共同研究  熱エネルギーを太陽電池が効率よく発電できる波長の光に変換することに始めて成功。２０１６年１２月２４日ｓｃｉｅｎｃｅ  ａｄｖａｎｃｅｓ掲載  シリコンから作ったナノ共振器。ｗｗｗ．ｋｙｏｔｏ−ｕ．ａｃ．ｊｐ  野菜の生育条件  ｗｗｗ．ａｔａｒｉｙａ．ｎｅｔ  太陽の恵みを利用した採光システムひまわり  ｗｗｗ．ｈｉｍａｗａｒｉ−ｎｅｔ．ｃｏ．ｊｐ  燃料の発熱量  ｗｗｗ．ｈａｋｋｏ．ｃｏ．ｊｐ
【発明の概要】
空間等の温度調整等に係るエネルギー等のコスト等を改善すること等
【発明が解決しようとする課題】空間等の温度調整等に係るエネルギー等のコスト等を改善すること等。
【課題を解決するための手段】ペットボトル状の資材等を連結等してスペース等を設けて食物等栽培したりする。
【図面の簡単な説明】
【図１】ペットボトル等の物質等を使って作った構造物によりスペースを作り内部の空気温等を適切に管理等する。効率的に食物等を育てる等。
【発明を実施するための形態】
【・・・・】
【実施例】
【産業上の利用可能性】過疎地域でも自立した産業ができる。
【符号の説明】
【・・・・】
【受託番号】
【・・・・】
【配列表フリーテキスト】
【図１】
2020182434.tif 000003